(57)【要約】【課題】従来のクラブケースを収容するシステムを持ったゴルフバッグにおいて、ゴルフバッグ本体の口枠上にクラブケースのハンドルが乗せられている形態により、指挟みによるけがの発生と、クラブケースを挿入する位置がゴルフバッグのハンドル側に位置することにより、ゴルフカートに同ゴルフバッグを積載した場合にクラブの破損を起こしやすいという課題があった。【解決手段】本発明は、ゴルフバッグのハンドルと反対の位置にクラブケースを配置すること、クラブケースのハンドル部分は、ゴルフバッグのハンドル部分と反対の位置に配置すること、さらにゴルフバッグを構成する口枠にクラブケースのハンドル部分が収まるよう凹形状を設けることによって、従来の課題を解決する。【選択図】図１
2018191987.tif 000002
【特許請求の範囲】
【請求項１】
ゴルフバッグのハンドルと反対側に、クラブケースが挿入される開口部を設けた口枠形状を有することを特徴とするゴルフバッグ
【請求項２】
前記口枠においてゴルフバッグに挿入されるクラブケースのハンドル部が嵌め込まれる凹形状を設けた口枠を有することを特徴とするゴルフバッグ
【発明の詳細な説明】
【技術分野】
【０００１】
本発明はゴルフバッグの口枠部の構造に関する。
【背景技術】
【０００２】
通常ゴルフクラブをゴルフバッグに入れている。以前はキャディにゴルフバッグを運んでもらいプレイするスタイルが主流であった。近年セルフプレイ方式のラウンドが主流になったこともあり、カートに載せプレイヤー自ら運ぶようになってきた。プレイ中は、必要なクラブを複数取り出し、プレイすることが多いが、ゴルフクラブをプレイ中置き忘れる事が多く、その対策としてセカンドショット以降の特にグリーン周り付近で使用するクラブを収納する為の小型のクラブケースをメインのゴルフバッグと別にゴルフ場に持参するプレイヤーが増えている。この小型のクラブケースはプレイヤー自ら運んで使用する小型のものであり、ハンドルがついた、スタンドで自立する方式のものが一般的である。
【０００３】
メインのゴルフバッグと小型のクラブケースの２つを運搬する事になり、持ち運びはもちろん、車のトランクに搭載する際にも嵩張り、スペースの問題が発生してしまっていた。また、ゴルフクラブはメインのゴルフバッグに収納して運搬するのが通常であり、プレーの前後においてゴルフバッグとクラブケースのあいだでゴルフクラブを移し替える必要があるため、その作業が極めて煩雑であった。この問題を解決するために、ゴルフバッグ内にクラブケースが収容される開口部となる仕切りを設け、クラブケースを収容可能とするダブルバッグ構造のものが提案されている。  
【０００４】
今までのダブルバッグ構造のゴルフバッグは、ゴルフカートに載せた状態で小型のクラブケースを取り出そうとすると、逆手になり取り出しにくく、かつ指を挟み怪我をするケースが多発していた。
【先行技術文献】
【特許文献】
【０００５】
【特許文献１】特許第５８８６９３２号公報
【非特許文献】
【０００６】
【非特許文献１】GDOゴルフショップ、［online］、“ネット販売商品”、［平成29年4月25日検索］、インターネットURL  http://shop.golfdigest.co.jp/newshop/f/dmg_0000469307
【発明の概要】
【発明が解決しようとする課題】
【０００７】
従来のダブルバッグ方式（つまりは数本のクラブを収納できるクラブケースを収容するシステムを持ったゴルフバッグ）のゴルフバッグにおいて、ゴルフバッグ本体の口枠上にクラブケースのハンドルが乗せられている形態となっており、そのために口枠部とクラブケースのハンドルとの間に指を入れるスペースが十分に確保できておらず、クラブケースの出し入れ時に指が挟まり怪我をすることが多発している。  （図２）
【０００８】
また、特許第５８８６９３２号公報に開示されたゴルフバッグ（キャディバッグ）のように、クラブケースを収納できるダブルバッグ構造においては、クラブケースの挿入口がゴルフバッグのハンドル側の開口部に設けられている。（図３）  ゴルフ場でのクラブケースの使用目的は、主にセカンドショット以降の長さの短いアイアンクラブを入れる目的として使用されている。。ゴルフカートにゴルフバッグを載せる場合、ゴルフバッグはハンドルを上向きになるように置く。（図４）  これはハンドルがゴルフカートのゴルフバッグの置き場に干渉し、ハンドルが破損することを避ける為であり、またハンドルの下方部分に小物入れが配置されている為である。小物入れからプレイ中に取り出しやすいように配置している。ここでゴルフバッグには、ハンドル側には、長いクラブ（通常ウッド）、ハンドルと逆の位置には、短いクラブ（アイアンやパターなど）を挿入する。これは短いクラブのヘッド部分が長いクラブのシャフトに接触することによる長いクラブの破損を避けるためである。前述特許におけるゴルフバッグにおいては、小型のクラブケースには、通常長いクラブが入ることになり、プレイ中に頻繁に入れ替えるか、破損の可能性を受け入れつつ短いクラブをクラブケースに入れるしかなかった。
【０００９】
本発明において、ダブルバッグタイプのゴルフバッグにおける指挟みをなくし、ゴルフバッグ使用時のクラブの破損の可能性をなくする。
【課題を解決するための手段】
【００１０】
本発明は、ゴルフバッグのハンドルと反対の位置にクラブケースを配置すること、クラブケースのハンドル部分は、ゴルフバッグのハンドル部分と反対の位置に配置すること、さらにゴルフバッグを構成する口枠にクラブケースのハンドル部分が収まるよう凹形状を設けることによって、前述の従来の課題を解決する。
【図面の簡単な説明】
【００１１】
【図１】本発明を実施したゴルフバッグと挿入されるクラブケースの位置関係図
【図２】従来のダブルバッグ構造における指挟み発生位置
【図３】従来のダブルバッグ構造における、ゴルフバッグに挿入するクラブケースと、ゴルフバッグのハンドルとの位置関係
【図４】従来のゴルフバッグをゴルフカートに載せた時のハンドルの位置
【図５】本発明のゴルフバッグとそのハンドルおよびゴルフバッグに挿入するクラブケースとそのハンドルの位置関係図
【図６】本発明におけるゴルフバッグの口枠
【図７】口枠詳細図
【図８】ゴルフバッグの開口部に設けられた口枠の嵌合部
【図９】クラブケースの口枠とハンドルを接合する接合部
【発明を実施するための形態】
【００１２】
以下、本発明の実施の形態を図面に基づいて詳細に説明する。ただし、本発明は多くの異なる態様で実施することが可能であり、本実施の形態の記載内容に限定して解釈すべきではない。なお、実施の形態の全体を通して同じ要素には同じ番号を付するものとする。
【００１３】
図５は本発明を実施したゴルフバッグ１ならびにゴルフバッグ１に収納されるクラブケース２の側面図である。  ゴルフバッグ１のハンドルに対して反対の位置にクラブケースを配置し、かつクラブケース２のハンドルは、ゴルフバッグのハンドルと反対側を向くように配置する。図６は本発明における、ゴルフバッグ１の口枠を位置を表している。  図７は、その口枠の詳細図であり、P1からP4は、ゴルフバッグ1の仕切り口であり、ゴルフクラブを収容する。Ｐ５にはクラブケース２が収納されゴルフクラブを収容する。P7は、クラブケース２をP5に収納したときにクラブケース２のハンドルを嵌め込む嵌め込まれる口枠凹部である。図８は、クラブケース２がゴルフバッグ１に収納された状態のクラブケース２のハンドルとゴルフバッグ１の口枠凹部である。
【００１４】
P5は、ゴルフバッグ１においてゴルフバッグ１のハンドル部分と反対側に位置する。図４と同様にゴルフカートに本発明のゴルフバッグを設置した場合、P1からP4には、ウッドなどシャフトの長いクラブを挿入し、P5には、クラブケース２を挿入したうえで、アイアン、パターなどのクラブケース２に挿入することで、従来のダブルバッグ構造の課題であった（１）長いシャフトに短いシャフトのヘッドが当たってシャフトが破損する。あるいは（２）前期問題を避けるためにクラブケースに通常長いクラブを挿入し、クラブケースをプレイ中に取り出すたびに長いクラブを取り出し、短いクラブと入れ替える必要がある。といういずれか必ず発生する問題を解決できる。
【００１５】
図８のように、ゴルフバッグの開口部にクラブケースが差し込まれた状態において、ゴルフバッグの口枠に設けられた口枠凹部にクラブケースハンドルとクラブケース口枠との接合部部分（図９）が嵌め込まれる。つまりはゴルフバッグの口枠部に設けられた口枠凹部により、ゴルフバッグの口枠と、クラブケースハンドルとの間に隙間を設けることができるため、クラブケースの出し入れの際にクラブケースハンドルを握る時に指を挟むという課題を解決できる。
【実施例】
【００１６】
ゴルフバッグに口枠に関するサイズは、図７ P6に示す口枠に設けられた口枠凹部にクラブケースハンドルとクラブケース口枠との接合部部分が嵌め込まれるが、口枠凹部のサイズを、横幅がクラブケースのハンドルの幅以上、最大で100ｍｍ以下、高さをクラブケースハンドルの厚み以上で200ｍｍ以下であれば、平均的な日本人向けに適合する。
【図１】
2018191987.tif 000003
【図２】
2018191987.tif 000004
【図３】
2018191987.tif 000005
【図４】
2018191987.tif 000006
【図５】
2018191987.tif 000007
【図６】
2018191987.tif 000008
【図７】
2018191987.tif 000009
【図８】
2018191987.tif 000010
【図９】
2018191987.tif 000011